(57)【特許請求の範囲】
【請求項１】
ゴルフクラブヘッドの周囲に延びる第一の側壁を含むフロントパーツであって、該第一の側壁が、該フロントパーツの開放側を画定する後縁で終端し、該第一の側壁の第一の内面が、該後縁に向かう方向に延びるとき、第一の金型引き抜き方向に対して0°以上の抜き勾配角を有する、フロントパーツと、
ゴルフクラブヘッドの周囲に延びる第二の側壁を含むリアパーツであって、該第二の側壁が、該リアパーツの開放側を画定する前縁で終端し、該第二の側壁の第二の内面が、該前縁に向って延びるとき、第二の金型引き抜き方向に対して0°以上の抜き勾配角を有する、リアパーツと
を含み、
該フロントパーツおよび該リアパーツが、該後縁の少なくとも一部分および該前縁の少なくとも一部分にかけて互いと係合して、それにより、分割線の少なくとも一部分を形成し、かつ
該フロントパーツおよび該リアパーツの間の該分割線が、ゴルフクラブヘッドの周囲をトップ（クラウン）部分からトウ部分を巻き、ボトム（ソール）部分を巻き、ヒール部分を巻いてトップ部分に戻るように連続的に延び、該分割線のトップ（クラウン）部分は、該フロントパーツの凹状の上縁および該リアパーツの凸状の上縁を形成するためのカーブを有し、該分割線のボトム（ソール）部分が正弦波状に付形された設計を有する、
前記ゴルフクラブヘッド。
【請求項２】
第一の金型引き抜き方向と第二の金型引き抜き方向とが平行でない、請求項1記載のゴルフクラブヘッド。
【請求項３】
第一の内面の抜き勾配角が0°よりも大きく、第二の内面の抜き勾配角が0°よりも大きい、請求項1記載のゴルフクラブヘッド。
【請求項４】
ゴルフクラブヘッドの周囲に延びる第一の側壁を含むフロントパーツであって、該第一の側壁が、該フロントパーツの開放側を画定する後縁で終端し、該第一の側壁の第一の内面が、該後縁に向かう方向に延びるとき、第一の金型引き抜き方向に対して0°以上の抜き勾配角を有する、フロントパーツと、
該後縁の少なくとも一部分にかけて該フロントパーツと係合して、それにより、第一の分割線の少なくとも一部分を形成する中間パーツと、
ゴルフクラブヘッドの周囲に延びる第二の側壁を含むリアパーツであって、該第二の側壁が、該リアパーツの開放側を画定する前縁で終端し、該第二の側壁の第二の内面が、該前縁に向かう方向に延びるとき、第二の金型引き抜き方向に対して0°以上の抜き勾配角を有する、リアパーツと
を含み、
該中間パーツおよび該リアパーツが、該前縁の少なくとも一部分にかけて互いと係合して、それにより、第二の分割線の少なくとも一部分を形成し、
該フロントパーツおよび該中間パーツの間の該第一の分割線が、ゴルフクラブヘッドの周囲をトップ（クラウン）部分からトウ部分を巻き、ボトム（ソール）部分を巻き、ヒール部分を巻いてトップ部分に戻るように連続的に延び、該第一の分割線のトップ（クラウン）部分は、該フロントパーツの凹状の上縁および該中間パーツの凸状の上縁を形成するためのカーブを有し、かつ
該リアパーツおよび該中間パーツの間の該第二の分割線が、ゴルフクラブヘッドの周囲をトップ（クラウン）部分からトウ部分を巻き、ボトム（ソール）部分を巻き、ヒール部分を巻いてトップ部分に戻るように連続的に延び、該第二の分割線のトップ（クラウン）部分は、正弦波状に付形された設計を有する、
前記ゴルフクラブヘッド。
【請求項５】
中間パーツの第三の内面が、後縁に向って延びるとき、第三の金型引き抜き方向に対して0°以上の抜き勾配角を有する、請求項4記載のゴルフクラブヘッド。
【請求項６】
中間パーツの第三の内面が、後縁に向かって延びるとき、第三の金型引き抜き方向に対して0°よりも大きい抜き勾配角を有する、請求項4記載のゴルフクラブヘッド。
【請求項７】
第一の金型引き抜き方向と第二の金型引き抜き方向とが平行でない、請求項4記載のゴルフクラブヘッド。
【請求項８】
ゴルフクラブヘッドの前方部分を形成するフロントパーツであって、ゴルフクラブヘッドの周囲に延びる第一の側壁を含み、該第一の側壁が、該フロントパーツの開放側を画定する後縁で終端する内面を含み、該第一の側壁の該内面が、該第一の内面が該後縁に向かう方向に延びるとき、第一の金型引き抜き方向に対して0°以上の抜き勾配角を有する、フロントパーツと、
ゴルフクラブヘッドの後方部分を形成するリアパーツであって、ゴルフクラブヘッドの周囲に延びる第二の側壁を含み、該第二の側壁が、該リアパーツの開放側を画定する前縁で終端する内面を含み、該第二の側壁の該内面が、該第二の内面が該前縁に向かう方向に延びるとき、第二の金型引き抜き方向に対して0°以上の抜き勾配角を有する、リアパーツと
を含むゴルフクラブヘッドであって、
該フロントパーツおよび該リアパーツが、ポリマー材料で構成された成形パーツであり、
該フロントパーツが、クラウン面の一部分、ソール面の部分、および側面の部分を含み、
該リアパーツが、クラウン面の一部分、ソール面の部分、および側面の部分を含み、かつ
該フロントパーツおよび該リアパーツの間の該分割線が、ゴルフクラブヘッドの周囲をトップ（クラウン）部分からトウ部分を巻き、ボトム（ソール）部分を巻き、ヒール部分を巻いてトップ部分に戻るように連続的に延び、該分割線のトップ（クラウン）部分は、該フロントパーツの凹状の上縁および該リアパーツの凸状の上縁を形成するためのカーブを有し、該分割線のボトム（ソール）部分が正弦波状に付形された設計を有する
前記ゴルフクラブヘッド。
【請求項９】
フロントパーツおよびリアパーツが、後縁の少なくとも一部分および前縁の少なくとも一部分にかけて互いと係合して、それにより、分割線の少なくとも一部分を形成する、請求項8記載のゴルフクラブヘッド。
【請求項１０】
第一の側壁が後縁に向かって延びるとき該第一の側壁の内面が連続的に散開し、第二の側壁が前縁に向かって延びるとき該第二の側壁の内面が連続的に散開する、請求項8記載のゴルフクラブヘッド。
【請求項１１】
フロントパーツがゴルフクラブヘッドのホーゼル部分を含み、リアパーツがゴルフクラブヘッドの閉じた後面を含む、請求項8記載のゴルフクラブヘッド。
【請求項１２】
ゴルフクラブヘッドの周囲に延びる第一の側壁を含むフロントパーツであって、該第一の側壁が、該フロントパーツの開放側を画定する後縁で終端し、該第一の側壁の第一の内面が、該後縁に向かって延びるとき、第一の金型引き抜き方向に対して−1°以上の抜き勾配角を有する、フロントパーツと、
ゴルフクラブヘッドの周囲に延びる第二の側壁を含むリアパーツであって、該第二の側壁が、該リアパーツの開放側を画定する前縁で終端し、該第二の側壁の第二の内面が、該前縁に向かって延びるとき、第二の金型引き抜き方向に対して−1°以上の抜き勾配角を有する、リアパーツと
を含み、
該フロントパーツおよび該リアパーツが、該後縁の少なくとも一部分および該前縁の少なくとも一部分にかけて互いと係合して、それにより、分割線の少なくとも一部分を形成する、
ゴルフクラブヘッドであって、
該フロントパーツおよび該リアパーツが、ポリマー材料で構成された成形パーツであり、
該フロントパーツが、クラウン面の一部分、ソール面の部分、および側面の部分を含み、
該リアパーツが、クラウン面の一部分、ソール面の部分、および側面の部分を含み、かつ
該フロントパーツおよび該リアパーツの間の該分割線が、ゴルフクラブヘッドの周囲をトップ（クラウン）部分からトウ部分を巻き、ボトム（ソール）部分を巻き、ヒール部分を巻いてトップ部分に戻るように連続的に延び、該分割線のトップ（クラウン）部分は、該フロントパーツの凹状の上縁および該リアパーツの凸状の上縁を形成するためのカーブを有し、該分割線のボトム（ソール）部分が正弦波状に付形された設計を有する
前記ゴルフクラブヘッド。
【請求項１３】
0°よりも小さい抜き勾配角を有する第一の内面の任意の連続部分が該第一の内面の周長の50％未満に延びる、請求項12記載のゴルフクラブヘッド。
【請求項１４】
0°よりも小さい抜き勾配角を有する第一の内面の任意の連続部分が該第一の内面の周長の10％未満に延びる、請求項12記載のゴルフクラブヘッド。
【請求項１５】
0°よりも小さい抜き勾配角を有する第一の内面の任意の連続部分が第一の金型引き抜き方向に該第一の内面の長さの50％未満に延びる、請求項12記載のゴルフクラブヘッド。
【請求項１６】
0°よりも小さい抜き勾配角を有する第一の内面の任意の連続部分が第一の金型引き抜き方向に該第一の内面の長さの10％未満に延びる、請求項12記載のゴルフクラブヘッド。
【発明の詳細な説明】
【技術分野】
【０００１】
関連出願の相互参照
本出願は、2013年3月15日に出願された「Golf Club Head Structures Having Split, Multi-Part Heads」と題する米国特許出願第13/834,759号への優先権を主張する。この出願の開示全体がすべての趣旨で参照により本明細書に組み入れられる。
【０００２】
発明の分野
本発明は概してゴルフクラブおよびゴルフクラブヘッドに関する。本発明の特定の例示的局面は、分割マルチパーツゴルフクラブヘッドを有するゴルフクラブヘッドに関する。
【背景技術】
【０００３】
背景
ゴルフ規則は、クラブヘッドサイズ、溝構造、フェース可撓性および他の特徴に対する制限をはじめとして、ゴルフクラブヘッドの特徴を制御するいくつかの要件を含む。長年にわたり、クラブ性能を高め、ゴルフ規則によって許される極限の性能特性を有するクラブヘッドを製造する目的で、新たなゴルフクラブヘッド構造が開発されてきた。その結果、多くのゴルフクラブヘッドは、複雑かつコスト高なプロセスで相対的に厳しい製造許容差で製造される複数のパーツおよび材料から作られる。したがって、ゴルフクラブ製品の製造に伴う複雑さおよびコストを減らすゴルフクラブヘッド設計および／または製造法は、当技術分野において歓迎される進歩となるであろう。
【発明の概要】
【０００４】
以下、本発明の基本的理解を提供するために、本発明の様々な局面および特徴の簡単な概要を提示する。この概要は本発明の広範な概観ではない。発明の主要または重要要素を特定することを意図したものでもないし、本発明の範囲を限定することを意図したものでもない。以下の概要は、本発明に関するいくつかの概念を、以下のより詳細な説明への前置きとして簡略化形態で提示するだけである。
【０００５】
本発明の少なくともいくつかの例のゴルフクラブヘッド、特にウッドタイプゴルフクラブヘッド（たとえばドライバー、フェアウェイウッド、ウッドタイプハイブリッドクラブなど）は、ゴルフクラブヘッドの周囲に延びる側壁（たとえば、ゴルフクラブヘッドのクラウン、ヒール側、ソールおよびトウ側の全周に延びる側壁）を有する少なくとも1つのパーツを含むマルチパーツクラブヘッドを含み、側壁は、パーツの開口側を画定する縁（自由端）で終端している。この側壁の内面は、縁に向かう方向（たとえば第一の引き抜き方向）に延びるとき、マイナスの抜き勾配角を有しない（たとえば、その内部長および周囲にかけて）。換言するならば、この内面は、縁に向かって延びるとき、0°以上の抜き勾配角（たとえば、金型引き抜き方向に対して）を有する。側壁の内面は、縁に向かって延びるとき、その長さ全体を通して、かつその全周に沿ってプラスの抜き勾配角を有し得る、または、その長さおよび／または周の1つまたは複数の部分についてニュートラル（0°）の抜き勾配角を有し、その長さおよび／または周の残りの部分においてプラスの抜き勾配角を有し得る。本発明のいくつかのゴルフクラブヘッド構造は、上記タイプのその内面に0°以上の抜き勾配角を有する2つ以上の個々のパーツを有する。複数のパーツを有するゴルフクラブヘッド構造の場合、全部または全部未満を含む任意の数の個々のパーツが、0°以上の抜き勾配角を有する内面を有し得る。必要条件ではないが、望むならば、1つまたは複数のパーツの外面もまた、その長さおよび／または周全体を通して0°以上の抜き勾配角（任意でプラスの抜き勾配角）を有してもよい。
【０００６】
本発明のいくつかの例にしたがって、パーツの開放側を画定する縁で終端する、1つまたは複数のクラブヘッドパーツの内面は、側壁が縁に向かう方向（パーツの開放側（または1つの開放側）に向かう方向）に延びるとき、そのパーツの側壁の内面が集束しないように成形される。
【０００７】
追加的または代替的に、いくつかの構造において、クラブヘッドのパーツの1つまたは複数は、パーツの側壁の内面が途切れのない内周面を画定するパーツ沿いの位置に一連の平行な断面が画定されるように成形される。本発明のこの局面のゴルフクラブヘッド構造のいくつかのパーツにおいて、この一連の平行な断面の任意の個別面について、その個別面について側壁の内面内に画定される面積は、この一連の平行な断面のうち、その個別面よりも縁に近く位置する任意の面について側壁の内面内に画定される面積以下である。換言するならば、本発明のこの局面のゴルフクラブヘッド構造におけるいくつかのバーツについて、パーツの内面の内側に画定される平面断面積は、パーツの開放縁（または開放縁の1つ）に向かって移動するとき、同じままであるか、または大きくなる。
【０００８】
マイナスの抜き勾配角、集束する内面および／またはその開口端に向かって移動するパーツの内面のより小さな断面積を回避することにより、パーツは、通常は複雑な成形型を要することなく、相対的に簡単かつ直接的なやり方で製造され得る。いくつかのより具体的な例として、パーツの少なくともいくつかは成形プロセス（たとえば射出成形）によって製造され得、多工程プロセスでパーツを成形する必要性、取り外し可能な金型コアを使用する必要性、いくつかのピースまたは部品を有する金型を使用する必要性、成形プロセス中の度重なるオペレータ相互作用の必要性などが回避され得る。
【０００９】
本発明のさらなる局面は、2つのパーツで形成されたゴルフクラブヘッドであって、各パーツの内側壁が、パーツ間の分割線の位置に向かって移動する方向にプラス（またはニュートラル）の抜き勾配角を有する、ゴルフクラブヘッドに関する。したがって、隣接パーツ間の分割線の位置および経路は不規則であり得るが、それは、各パーツの内面がプラスの抜き勾配角を有することを可能にする形状を有する。分割線は、クラブヘッドの内面のカーブの形状がプラスの傾きからマイナスの傾きへと変化する（たとえば内面沿いの変曲点で）ゴルフクラブヘッドのクラウン、ソールおよび側面沿いの位置をトレースし得る。
【００１０】
本発明のもう1つの局面において、ゴルフクラブヘッドは3つ以上のパーツから形成され得、パーツの少なくとも2つが、そのパーツの縁に向かって移動する方向にパーツの内面に沿ってプラス（またはニュートラル）の抜き勾配角を提供する。本発明のさらに別の局面において、ゴルフクラブヘッドはn個のパーツによって形成され得、n個のパーツの少なくとも2つ（任意で、n個のパーツのすべてまで）が、プラス（またはニュートラル）の抜き勾配角を有する内面を提供する。
【００１１】
望むならば、本発明の少なくともいくつかの例のゴルフクラブヘッドパーツは、ポリマー材料からたとえば成形プロセス（たとえば射出成形）によって作られ得る。本発明のさらなる局面において、望むならば、ゴルフクラブヘッド（たとえばフロントパーツおよび／またはバックパーツ）は、その後、任意で様々なパーツが互いに接続されたのち、たとえば継ぎ目を隠し、1ピースゴルフクラブヘッドまたは単一材料で形成されたゴルフクラブヘッドの外観を提供するために、別の材料のナノコーティングで少なくとも部分的に覆われてもよい。ナノコーティングはゴルフクラブヘッドの全部または実質的に全部を覆ってもよい。追加的または代替的に、望むならば、成形されたポリマーパーツは、他のクラブ構成部品、たとえば打球フェースプレート、カップフェース、クラウンプレート、ソールプレート、メダル、1つまたは複数のウエイト部材などを取り付け得るベース部材として働いてもよい。ナノコーティング適用の詳細な説明は、参照により全体として本明細書に組み入れられる、2012年8月23日に出願された同時係属中の米国特許出願第13/592,418号に見出される。
【００１２】
本発明のさらなる局面は、ゴルフクラブヘッドのパーツ間の1つの分割線の少なくとも一部分（任意で、ゴルフクラブヘッドの全周をトップからボトムまで延びる分割線全体）が、クラブヘッド側壁の内面がプラスの傾きからマイナスの傾きへと変化する、および／または内面が平坦である（プラスからマイナスへの傾きは平坦部分の端で起こる）クラブヘッドボディの周囲の連続線に沿って位置するように選択される、マルチパーツゴルフクラブヘッドおよび／またはマルチパーツゴルフクラブヘッドを形成するための金型を設計する方法に関する。これらの設計プロセスの部分は、クラブヘッドを、上記タイプの内面を有する2つ以上のパーツに分けるための分割線の位置的特徴を決定することを含み得る。金型は、上記のようなパーツ設計に基づいて設計され得る。
【００１３】
本発明のなおさらなる局面は、上記タイプのマルチパーツゴルフクラブヘッドを製造する方法に関する。そのような方法は、ゴルフクラブヘッドの1つまたは複数のパーツが上記のような0°以上の抜き勾配角を有する内面を有するようにポリマーまたは他の材料を成形して、たとえばパーツを金型から単一工程成形作業で、および／または成形作業中に金型内部の形体（たとえば金型インナーコア）を変化させる必要なく製造することができるようにする工程を含み得る。金型キャビティの内面全体を、単一ピースとして、単一かつ連続的な金型引き抜き作業（すなわち、成形されたパーツ中に形成したキャビティまたはリセスから金型成形部品を引き出す作業）で、成形されたゴルフクラブヘッドパーツの内面から引き離すことができる。
【００１４】
本発明のさらなる局面は、たとえば上記タイプのゴルフクラブヘッドを含むゴルフクラブ構造に関する。そのようなゴルフクラブ構造はさらに、クラブヘッドに取り付けられたシャフト部材（任意で、別個のホーゼル部材または1つまたは複数のクラブヘッドパーツの一体部分として提供されたホーゼル部材を介して）；シャフト部材に取り付けられたグリップまたは取っ手部材；さらなるウエイト部材などの1つまたは複数を含み得る。さらに、本発明のさらなる局面は、1つまたは複数のパーツが小さなマイナスの抜き勾配角、たとえば−0.1°以上の抜き勾配角をその内面に有し得るクラブヘッドに関する。マイナス抜き勾配角区域は、1つまたは複数のパーツ上に存在するとき、内面の全周長未満および／または前後全奥行き未満に延び得る。
[本発明1001]
ゴルフクラブヘッドの周囲に延びる第一の側壁を含む第一のパーツであって、該第一の側壁が、該第一のパーツの開放側を画定する第一の縁で終端し、該第一の側壁の第一の内面が、該第一の縁に向かう方向に延びるとき、第一の引き抜き方向に対して0°以上の抜き勾配角を有する、第一のパーツと、
ゴルフクラブヘッドの周囲に延びる第二の側壁を含む第二のパーツであって、該第二の側壁が、該第二のパーツの開放側を画定する第二の縁で終端し、該第二の側壁の第二の内面が、該第二の縁に向って延びるとき、第二の引き抜き方向に対して0°以上の抜き勾配角を有する、第二のパーツと
を含み、
該第一のパーツおよび該第二のパーツが、該第一の縁の少なくとも一部分および該第二の縁の少なくとも一部分にかけて互いと係合して、それにより、分割線の少なくとも一部分を形成する、
ゴルフクラブヘッド。
[本発明1002]
第一の引き抜き方向と第二の引き抜き方向とが平行でない、本発明1001のゴルフクラブヘッド。
[本発明1003]
第一のパーツおよび第二のパーツが成形パーツである、本発明1001のゴルフクラブヘッド。
[本発明1004]
第一のパーツが、第一の縁から反対側の位置にゴルフクラブヘッドの打球フェース部材の少なくとも一部分を含み、第二のパーツが、第二の縁とは反対側に閉じた端部を含む、本発明1001のゴルフクラブヘッド。
[本発明1005]
分割線が非直線形である、本発明1001のゴルフクラブヘッド。
[本発明1006]
第一の内面の抜き勾配角が0°よりも大きく、第二の内面の抜き勾配角が0°よりも大きい、本発明1001のゴルフクラブヘッド。
[本発明1007]
第二の側壁が第二の縁とは反対側の第三の縁で終端し、
該第三の縁で第二のパーツと係合して、それにより、第二の分割線を形成する第三のパーツをさらに含む、本発明1001のゴルフクラブヘッド。
[本発明1008]
第三のパーツが、ゴルフクラブヘッドの周囲に延びる第三の側壁を含み、該第三の側壁が、該第三のパーツの開放側を画定する第四の縁で終端し、該第三の側壁の内面が、該第四の縁に向かう方向に延びるとき、マイナスの抜き勾配角を有しない、本発明1007のゴルフクラブヘッド。
[本発明1009]
分割線がゴルフクラブヘッドの全周に延びる、本発明1001のゴルフクラブヘッド。
[本発明1010]
ゴルフクラブヘッドの周囲に延びる第一の側壁を含む第一のパーツであって、該第一の側壁が、該第一のパーツの開放側を画定する第一の縁で終端し、該第一の側壁の第一の内面が、該第一の縁に向かう方向に延びるとき、第一の引き抜き方向に対して0°以上の抜き勾配角を有する、第一のパーツと、
該第一の縁の少なくとも一部分にかけて該第一のパーツと係合して、それにより、第一の分割線の少なくとも一部分を形成する第二のパーツと、
ゴルフクラブヘッドの周囲に延びる第二の側壁を含む第三のパーツであって、該第二の側壁が、該第三のパーツの開放側を画定する第二の縁で終端し、該第二の側壁の第二の内面が、該第二の縁に向かう方向に延びるとき、第二の引き抜き方向に対して0°以上の抜き勾配角を有する、第三のパーツと
を含み、
該第二のパーツおよび該第三のパーツが、該第二の縁の少なくとも一部分にかけて互いと係合して、それにより、第二の分割線の少なくとも一部分を形成する、
ゴルフクラブヘッド。
[本発明1011]
第二のパーツの第三の内面が、第一の縁に向って延びるとき、第三の引き抜き方向に対して0°以上の抜き勾配角を有する、本発明1010のゴルフクラブヘッド。
[本発明1012]
第二のパーツの第三の内面が、第一の縁に向かって延びるとき、第三の引き抜き方向に対して0°よりも大きい抜き勾配角を有する、本発明1010のゴルフクラブヘッド。
[本発明1013]
第一の分割線および第二の分割線それぞれがゴルフクラブヘッドの全周に延びる、本発明1010のゴルフクラブヘッド。
[本発明1014]
第一の引き抜き方向と第二の引き抜き方向とが平行でない、本発明1010のゴルフクラブヘッド。
[本発明1015]
ゴルフクラブヘッドの前方部分を形成する第一のパーツであって、ゴルフクラブヘッドの周囲に延びる第一の側壁を含み、該第一の側壁が、該第一のパーツの開放側を画定する第一の縁で終端する内面を含み、該第一の側壁の該内面が、該第一の側壁が該第一の縁に向かって延びるとき集束しない、第一のパーツと、
ゴルフクラブヘッドの後方部分を形成する第二のパーツであって、ゴルフクラブヘッドの周囲に延びる第二の側壁を含み、該第二の側壁が、該第二のパーツの開放側を画定する第二の縁で終端する内面を含み、該第二の側壁の該内面が、該第二の側壁が該第二の縁に向かって延びるとき集束しない、第二のパーツと
を含むゴルフクラブヘッド。
[本発明1016]
第一のパーツおよび第二のパーツが、第一の縁の少なくとも一部分および第二の縁の少なくとも一部分にかけて互いと係合して、それにより、分割線の少なくとも一部分を形成する、本発明1015のゴルフクラブヘッド。
[本発明1017]
第一の側壁が第一の縁に向かって延びるとき該第一の側壁の内面が連続的に散開し、第二の側壁が第二の縁に向かって延びるとき該第二の側壁の内面が連続的に散開する、本発明1015のゴルフクラブヘッド。
[本発明1018]
第一のパーツがゴルフクラブヘッドのホーゼル部分を含み、第二のパーツがゴルフクラブヘッドの閉じた後面を含む、本発明1015のゴルフクラブヘッド。
[本発明1019]
ゴルフクラブヘッドの前方部分を形成する第一のパーツであって、ゴルフクラブヘッドの周囲に延びる第一の側壁を含み、該第一の側壁が、該第一のパーツの開放側を画定する第一の縁で終端する内面を含み、該第一のパーツが、該第一の側壁の該内面が途切れのない内周面を画定する該第一のパーツ沿いの位置に第一の一連の平行な断面を画定し、該第一の一連の平行な断面の任意の第一の個別面について、該第一の個別面の該第一の側壁の該内面内に画定される面積が、該第一の一連の平行な断面のうち、該第一の個別面よりも該第一の縁に近く位置する任意の面について該第一の側壁の該内面内に画定される面積以下である、第一のパーツと、
ゴルフクラブヘッドの後方部分を形成する第二のパーツであって、ゴルフクラブヘッドの周囲に延びる第二の側壁を含み、該第二の側壁が、該第二のパーツの開放側を画定する第二の縁で終端する内面を含み、該第二のパーツが、該第二の側壁の該内面が途切れのない内周面を画定する該第二のパーツ沿いの位置に第二の一連の平行な断面を画定し、該第二の一連の平行な断面の任意の第二の個別面について、該第二の個別面の該第二の側壁の該内面内に画定される面積が、該第二の一連の平行な断面のうち、該第二の個別面よりも該第二の縁に近く位置する任意の断面について該第二の側壁の該内面内に画定される面積以下である、第二のパーツと
を含むゴルフクラブヘッド。
[本発明1020]
第一のパーツおよび第二のパーツが、第一の縁の少なくとも一部分および第二の縁の少なくとも一部分にかけて互いと係合して、それにより、分割線の少なくとも一部分を形成する、本発明1019のゴルフクラブヘッド。
[本発明1021]
第一の個別面の第一の側壁の内面内に画定される面積が、第一の一連の平行な断面のうち、該第一の個別面よりも第一の縁に近く位置する任意の断面について該第一の側壁の該内面内に画定される面積よりも小さい、本発明1019のゴルフクラブヘッド。
[本発明1022]
第二の個別面の第二の側壁の内面内に画定される面積が、第二の一連の平行な断面のうち、該第二の個別面よりも該第二の縁に近く位置する任意の断面について該第二の側壁の該内面内に画定される面積よりも小さい、本発明1019のゴルフクラブヘッド。
[本発明1023]
第一の一連の平行な断面が第二の一連の平行な断面に対して平行である、本発明1019のゴルフクラブヘッド。
[本発明1024]
第一の一連の平行な断面が第二の一連の平行な断面に対して平行でない、本発明1019のゴルフクラブヘッド。
[本発明1025]
第一の一連の平行な断面が、第一のパーツと対応する第一の引き抜き方向に対して垂直であり、第二の一連の断面が、第二のパーツと対応する第二の引き抜き方向に対して垂直である、本発明1019のゴルフクラブヘッド。
[本発明1026]
第一の一連の断面が第二の一連の断面に対して平行でない、本発明1019のゴルフクラブヘッド。
[本発明1027]
ゴルフクラブヘッドの周囲に延びる第一の側壁を含む第一のパーツであって、該第一の側壁が、該第一のパーツの開放側を画定する第一の縁で終端し、該第一の側壁の第一の内面が、該第一の縁に向かって延びるとき、第一の引き抜き方向に対して−1°以上の抜き勾配角を有する、第一のパーツと、
ゴルフクラブヘッドの周囲に延びる第二の側壁を含む第二のパーツであって、該第二の側壁が、該第二のパーツの開放側を画定する第二の縁で終端し、該第二の側壁の第二の内面が、該第二の縁に向かって延びるとき、第二の引き抜き方向に対して−1°以上の抜き勾配角を有する、第二のパーツと
を含み、
該第一のパーツおよび該第二のパーツが、該第一の縁の少なくとも一部分および該第二の縁の少なくとも一部分にかけて互いと係合して、それにより、分割線の少なくとも一部分を形成する、
ゴルフクラブヘッド。
[本発明1028]
0°よりも小さい抜き勾配角を有する第一の内面の任意の連続部分が該第一の内面の周長の50％未満に延びる、本発明1027のゴルフクラブヘッド。
[本発明1029]
0°よりも小さい抜き勾配角を有する第一の内面の任意の連続部分が該第一の内面の周長の10％未満に延びる、本発明1027のゴルフクラブヘッド。
[本発明1030]
0°よりも小さい抜き勾配角を有する第一の内面の任意の連続部分が第一の引き抜き方向に該第一の内面の長さの50％未満に延びる、本発明1027のゴルフクラブヘッド。
[本発明1031]
0°よりも小さい抜き勾配角を有する第一の内面の任意の連続部分が第一の引き抜き方向に該第一の内面の長さの10％未満に延びる、本発明1027のゴルフクラブヘッド。
【００１５】
本発明は、添付図面において実例として示されるが、それには限定されない。全図を通じて類似の参照番号が類似の要素を示す。
【図面の簡単な説明】
【００１６】
【図１Ａ】本発明の少なくともいくつかの例のマルチパーツゴルフクラブヘッドを有する例示的なゴルフクラブの図を提供する。
【図１Ｂ】本発明の少なくともいくつかの例のマルチパーツゴルフクラブヘッドを有する例示的なゴルフクラブの図を提供する。
【図１Ｃ】本発明の少なくともいくつかの例のマルチパーツゴルフクラブヘッドを有する例示的なゴルフクラブの図を提供する。
【図２Ａ】1つの例示的な分割マルチパーツゴルフクラブヘッドのフロントパーツのそれぞれ上面図および下面図を示す。
【図２Ｂ】1つの例示的な分割マルチパーツゴルフクラブヘッドのフロントパーツのそれぞれ上面図および下面図を示す。
【図２Ｃ】この例示的なゴルフクラブヘッドのリヤパーツのそれぞれ上面図および下面図を示す。
【図２Ｄ】この例示的なゴルフクラブヘッドのリヤパーツのそれぞれ上面図および下面図を示す。
【図３Ａ】本発明の様々な特徴を例示し、説明するのに役立つ、2つのパーツおよび1つの分割線を有するマルチパーツゴルフクラブヘッドの図を提供する。
【図３Ｂ】本発明の様々な特徴を例示し、説明するのに役立つ、2つのパーツおよび1つの分割線を有するマルチパーツゴルフクラブヘッドの図を提供する。
【図３Ｃ】本発明の様々な特徴を例示し、説明するのに役立つ、2つのパーツおよび1つの分割線を有するマルチパーツゴルフクラブヘッドの図を提供する。
【図３Ｄ】本発明の様々な特徴を例示し、説明するのに役立つ、2つのパーツおよび1つの分割線を有するマルチパーツゴルフクラブヘッドの図を提供する。
【図３Ｅ】本発明の様々な特徴を例示し、説明するのに役立つ、2つのパーツおよび1つの分割線を有するマルチパーツゴルフクラブヘッドの図を提供する。
【図３Ｆ】本発明の様々な特徴を例示し、説明するのに役立つ、2つのパーツおよび1つの分割線を有するマルチパーツゴルフクラブヘッドの図を提供する。
【図３Ｇ】本発明の様々な特徴を例示し、説明するのに役立つ、2つのパーツおよび1つの分割線を有するマルチパーツゴルフクラブヘッドの図を提供する。
【図４Ａ】本発明の少なくともいくつかの例にしたがってゴルフクラブヘッドおよびゴルフクラブヘッドパーツを製造するための金型の設計および製造を説明する図を提供する。
【図４Ｂ】本発明の少なくともいくつかの例にしたがってゴルフクラブヘッドおよびゴルフクラブヘッドパーツを製造するための金型の設計および製造を説明する図を提供する。
【図４Ｃ】本発明の少なくともいくつかの例にしたがってゴルフクラブヘッドおよびゴルフクラブヘッドパーツを製造するための金型の設計および製造を説明する図を提供する。
【図４Ｄ】本発明の少なくともいくつかの例にしたがってゴルフクラブヘッドおよびゴルフクラブヘッドパーツを製造するための金型の設計および製造を説明する図を提供する。
【図４Ｅ】本発明の少なくともいくつかの例にしたがってゴルフクラブヘッドおよびゴルフクラブヘッドパーツを製造するための金型の設計および製造を説明する図を提供する。
【図４Ｆ】本発明の少なくともいくつかの例にしたがってゴルフクラブヘッドおよびゴルフクラブヘッドパーツを製造するための金型の設計および製造を説明する図を提供する。
【図４Ｇ】本発明の少なくともいくつかの例にしたがってゴルフクラブヘッドおよびゴルフクラブヘッドパーツを製造するための金型の設計および製造を説明する図を提供する。
【図４Ｈ】本発明の少なくともいくつかの例にしたがってゴルフクラブヘッドおよびゴルフクラブヘッドパーツを製造するための金型の設計および製造を説明する図を提供する。
【図４Ｉ】本発明の少なくともいくつかの例にしたがってゴルフクラブヘッドおよびゴルフクラブヘッドパーツを製造するための金型の設計および製造を説明する図を提供する。
【図４Ｊ】本発明の少なくともいくつかの例にしたがってゴルフクラブヘッドおよびゴルフクラブヘッドパーツを製造するための金型の設計および製造を説明する図を提供する。
【図４Ｋ】本発明の少なくともいくつかの例にしたがってゴルフクラブヘッドおよびゴルフクラブヘッドパーツを製造するための金型の設計および製造を説明する図を提供する。
【図４Ｌ】本発明の少なくともいくつかの例にしたがってゴルフクラブヘッドおよびゴルフクラブヘッドパーツを製造するための金型の設計および製造を説明する図を提供する。
【図４Ｍ】本発明の少なくともいくつかの例にしたがってゴルフクラブヘッドおよびゴルフクラブヘッドパーツを製造するための金型の設計および製造を説明する図を提供する。
【図４Ｎ】本発明の少なくともいくつかの例にしたがってゴルフクラブヘッドおよびゴルフクラブヘッドパーツを製造するための金型の設計および製造を説明する図を提供する。
【図４Ｏ】本発明の少なくともいくつかの例にしたがってゴルフクラブヘッドおよびゴルフクラブヘッドパーツを製造するための金型の設計および製造を説明する図を提供する。
【図４Ｐ】本発明の少なくともいくつかの例にしたがってゴルフクラブヘッドおよびゴルフクラブヘッドパーツを製造するための金型の設計および製造を説明する図を提供する。
【図５】図5Aおよび5Bは、3つのパーツおよび2つの完全かつ別々の分割線を有し、3つのパーツの少なくとも2つが、プラスの抜き勾配角を有する内面をクラブヘッドボディの周囲に有する、マルチパーツゴルフクラブヘッドを示す。
【発明を実施するための形態】
【００１７】
読者は、これらの図面中の様々なパーツが必ずしも一定の拡大縮小率で描かれていないことに留意されたい。
【００１８】
詳細な説明
以下の説明および添付図面は、本発明の例のゴルフクラブおよびゴルフクラブヘッド構造の特徴ならびに本発明の例のゴルフクラブヘッドおよびゴルフクラブヘッド製造装置を設計し、製造するための特徴を開示する。同じ参照番号が2つ以上の図面に見られる場合、その参照番号は、本明細書および図面において同じまたは類似パーツを通しで指すために一貫して使用される。
【００１９】
本明細書に記載される本発明の局面および特徴は、たとえばウッドタイプゴルフヘッド、たとえばドライバおよびフェアウェイウッドならびに「ウッドタイプ」ユーティリティまたはハイブリッドクラブなどのために一般に使用されるクラブヘッドを含む様々なタイプのゴルフクラブヘッドとともに使用され得る。そのようなクラブヘッド構造は、実際には「木」材をほとんどまたは全く有しないこともあるが、それでもなお、当技術分野においては慣例的に「ウッド」と呼ばれ得る（たとえば「メタルウッド」、「フェアウェイウッド」など）。加えて、本発明の局面および特徴は、中空の内部を有する他のクラブヘッド（たとえば、中空のベースを有するパター）とともに使用されてもよい。
【００２０】
図1A〜1Cは、本発明の一例のゴルフクラブヘッド102を含む例示的なゴルフクラブ100の様々な図を提供する。この例のゴルフクラブ構造100全体は、ゴルフクラブヘッド102に加えて、ホーゼル104、ホーゼル104に受けられた、および／または挿入されたシャフト106およびシャフト106に取り付けられたグリップまたは取っ手（図示せず）を含む。任意で、望むならば、外部ホーゼル104をなくし、シャフト106をヘッド102に直接挿入および／または他のやり方で取り付けてもよい（たとえば、クラブヘッド102のトップに設けられた開口または凹み孔に通して、内部ホーゼル部材（たとえば、クラブヘッド102によって画定された内部チャンバ内に提供された）を介して、など）。ホーゼル104（またはその一部）は、以下に説明するプロセスで一体に形成されてもよいし、クラブヘッド構造全体の1つまたは複数のパーツに取り付けられた1つまたは複数の別々のパーツであってもよい。
【００２１】
シャフト106は、当技術分野において公知であり、使用されている従来のやり方を含む任意の適当なまたは所望のやり方で、クラブヘッド102および／またはホーゼル104の中に受けられ得る、それらと係合し得る、および／またはそれらに取り付けられ得る。より具体的な例として、シャフト106は、ホーゼル104を介してクラブヘッド102と係合し得る、および／または、たとえば接着剤、セメント、溶接、はんだ付け、メカニカルコネクタ（たとえばねじ、保持要素など）などによって、クラブヘッドボディ102中に延びるシャフト受けスリーブまたは要素を介してなど、クラブヘッド構造102に直接係合し得る。シャフト／クラブヘッド接続はまた、たとえば当技術分野において公知であり、使用されているような任意の所望のやり方で解放可能または調節可能であってもよい。シャフト106はまた、当技術分野において公知であり、使用されている従来の材料を含む任意の適当なまたは所望の材料、たとえばグラファイト系材料、複合材または他の非金属材料、鋼材料（ステンレス鋼を含む）、アルミニウム材料、他の金属または合金材料、ポリマー材料、様々な材料の組み合わせなどから作られ得る。また、グリップまたは取っ手は、当技術分野において公知であり、使用されている従来のやり方を含む任意の適当なまたは所望のやり方で、たとえば、接着剤またはセメントを使用して、溶接、はんだ付けなどによって、メカニカルコネクタ（たとえばねじ、保持要素など）を介してなど、シャフト106に取り付けられ得る、それと係合し得る、および／またはそれから延び得る。もう1つの例として、望むならば、グリップまたは取っ手は、シャフト106とで単体1ピース構造として一体に形成されてもよい。加えて、本発明を逸脱することなく、たとえばゴム材料、皮革材料、中に埋め込まれたコードまたは他の布材料を含むゴムまたは他の材料、ポリマー材料などを含む任意の所望のグリップまたは取っ手材料を使用し得る。
【００２２】
本発明を逸脱することなく、クラブヘッド102そのもの（または少なくともその部分）もまた、当技術分野において公知であり、使用されている従来の材料および従来のやり方を含め、任意の適当なまたは所望の材料から構成され得る。本発明のいくつかのより具体的な例において、このクラブヘッド102の少なくともいくつかの部分は、成形材料、たとえば成形ポリマー材料から、以下さらに詳細に説明するようなやり方および構成で形成される。
【００２３】
図1A〜1Cに示す例示的なゴルフクラブヘッド構造102は、打球フェース202bを含み得るフロント部分202aを有するフロントパーツ200を含む。フロントパーツ200全体が単体1ピース構造として形成されてもよいが、望むならば、フロント部分202aが、フロントパーツ200の残り部分と一体のフレーム部材として構成されてもよく、別個の打球フェースプレート202bが取り付けられる棚状部または他の構造を含むように形成されてもよい。もう1つの例として、望むならば、フロントパーツ200は、カップフェースまたは他の部材（たとえば、フロント部分202aおよび打球フェース202bを含む）が接続される（たとえば、接着剤またはセメント、溶接または他の融着技術、メカニカルコネクタなどを使用する）別個に形成されたベースパーツを構成してもよい。
【００２４】
この例示的クラブヘッド102はまた、クラブヘッド102がボールアドレス位置にあるときフロントパーツ200の背後に（すなわち、フロントパーツに対して水平方向に後方かつ任意で隣接して）配設されるリヤパーツ250を含む。リヤパーツ250またはフロントパーツ200の少なくとも1つは、以下さらに詳細に説明する方法によって設計され、製造され得る。しかし、望むならば、本発明のクラブヘッド構造102全体の任意の1つまたは複数の個々のパーツは、少なくとも1つのパーツが、以下さらに十分に考察されるような本発明の特徴および特性の少なくともいくつかを有するという条件で、鋳造、鍛造、成形などのような公知の製造方法から形成されてもよい。いくつかの例において、フロントパーツ200およびリヤパーツ250は、様々な製造プロセスおよび／または様々な材料を使用して形成され得るが、望むならば、同じプロセスおよび／または同じ材料を使用して製造されてもよい。この例のクラブヘッド102はクラウンまたはトップ部分およびソールまたはボトム部分を含み、これらの部分は、任意で、ヒールおよびトウ側部分または壁、リヤ部分または壁、フロント部分202aなどによってつながれている。クラブヘッド102は中空の内部を画定する。
【００２５】
図1Bおよび1Cにさらに示すように、マルチパーツゴルフクラブヘッド102のフロントパーツ200は、たとえば分割線224においてリヤパーツ250に水平方向に隣接し、接触する状態で配置されている（クラブヘッド102が地につけられている、および／またはボールアドレス位置に向けられているとき）。分割線224は、ヘッド102の周囲を、トップ（クラウン）部分からトウ部分または側面を巻き、ボトム（ソール）部分を巻き、ヒール部分または側面を巻いてトップ部分に戻るように連続的に延びている。この図示される例（図1Bを参照）において、分割線224のトップ部分は概して、フロントパーツ200の凹状の上縁およびリヤパーツ250の凸状の上縁を形成するためのカーブを有する。図1Cは、分割線224のボトム部分が概して付形された（たとえばいくぶん正弦波状の）設計を有することを示す。分割線224の位置および形状に関する特徴は、以下、図3A〜4Eに関連してさらに詳細に説明する。
【００２６】
図2Aおよび2Bは、図1A〜1Cに示すような分割マルチパーツゴルフヘッド102のフロントパーツ200の、それぞれ上面図および下面図を示す。これらの図から明らかであるように、フロントパーツ200は、後方に延び（フロントパーツ200のクラウン、ソール、トウおよびヒール区域に沿って）かつ、少なくともいくつかの区域において、フロントパーツ200の周囲の連続面を画定する側壁を含むように形成されている。この例のフロントパーツ200は、閉じた前端（フロント部分202aおよび打球フェース202bを含む）を含むが、上記のように、望むならば、この前端は開いていることもでき、もう1つの別個のパーツ（たとえばカップフェース、打球フェースプレートなど）がフロントパーツ200の前端の前で係合してパーツ200を閉じてもよい。この例のフロントパーツ200の周囲の連続面（クラウンからソールまで、ヒールおよびトウ側を巻いて延びる）は、第一のパーツ200の開放側を画定する後縁204で終端している。後縁204は、完成したクラブヘッドの分割線224のおおよその形状であり得る。後縁204によって画定される開放側は開口を提供し、この開口を通して、以下さらに詳細に説明するように、成形されたゴルフクラブヘッドパーツ200から金型部品が取り出される。同じく以下さらに詳細に説明するように、この第一のパーツ200の側壁の内面206は、後縁204に向かう方向（金型引き抜き方向）に延びるとき、マイナスの抜き勾配角を有しない。望むならば、第一のパーツ200の側壁の内面206は、縁204に向かうその後方範囲の大部分または全部を通してプラスの抜き勾配角を有してもよい。
【００２７】
図2Cおよび2Dは、図1A〜1Cに示すような分割マルチパーツゴルフヘッド102のリヤパーツ250の、それぞれ上面図および下面図である。これらの図から明らかであるように、リヤパーツ250は、前方に延び（リヤパーツ250のクラウン、ソール、トウおよびヒール区域に沿って）かつ、少なくともいくつかの区域において、リヤパーツ250の周囲の連続面を画定する側壁を含むように形成されている。この例のリヤパーツ250は、閉じた後端252を含むが、望むならば、リヤパーツ250の後方部分は、別のクラブヘッドパーツが係合する面または構造を含み得る。この例のリヤパーツ250の周囲の連続面（クラウンからソールまで、ヒールおよびトウ側を巻いて延びる）は、第二のパーツ250の開放側を画定する前縁254で終端している。前縁254は、完成したクラブヘッドの分割線224のおおよその形状であり得る。前縁254によって画定される開放側は開口を提供し、この開口を通して、以下さらに詳細に説明するように、成形されたゴルフクラブヘッドパーツ250から金型部品が取り出される。同じく以下さらに詳細に説明するように、この第二のパーツ250の側壁の内面256は、前縁254に向かう方向（金型引き抜き方向）に延びるとき、マイナスの抜き勾配角を有しない。望むならば、第二のパーツ250の側壁の内面256は、縁254に向かうその前方範囲の大部分または全部を通してプラスの抜き勾配角を有してもよい。
【００２８】
図1Bおよび1Cに示す分割線224は、本発明の1つのクラブヘッド例の場合の位置および経路の単なる例である。分割線224の位置および経路は、不規則であり、少なくとも部分的に、所望のゴルフクラブヘッド設計の内面の形状に依存し得る。分割線224の形状は、この例においては、以下、図3A〜4Fに関連して考察するように、図2A〜図2Dにおいて特定された各パーツの内面206、256がプラス（またはニュートラル）の内部抜き勾配角を有することを保証するように選択される。少なくとも1つのパーツ（任意で、クラブヘッドボディの全パーツまでの、より多くのパーツ）が、プラスまたはニュートラルの抜き勾配角を有する内面を有する限り、本発明のいくつかの例のゴルフクラブヘッドには任意の数のパーツを使用し得る。面が1つの最外開放縁に向かって延びるときプラスまたはニュートラルの抜き勾配角を有する内面を有するパーツは、複雑でない装置、たとえば定位または単一のコアを有する金型を使用して成形され得、これらのパーツは、簡単なプロセスで、任意で単一工程プロセスで成形され得る。また、そのような複雑でない金型、成形型およびプロセスを使用することは好都合であり得るが、望むならば、クラブヘッドパーツの1つまたは複数が、本明細書に記載されるような内面特性の1つまたは複数を有するという条件で、任意の適当な装置を使用してパーツを調製してもよい。
【００２９】
図3Aおよび3Bは、フロントパーツ302および別個のリヤパーツ350を含み、これら2つのパーツ302、350の間でクラブヘッド300の周囲をトップからボトムまで延びる不規則な分割線324を有する、図1A〜1Cに示すクラブヘッド102に類似した2パーツクラブヘッド300を示す。C−C、D−DおよびE−Eによって示される線は、それぞれ図3C、3Dおよび3Eに示すクラブヘッドの断面を示す。説明および指南のために、図3Bには、2つの面、すなわち水平面HP（「ボールアドレス位置」を決めるためにクラブヘッド300を地につけることができる接触面を画定する）および水平面HPに対して直角をなす垂直面VPが示されている。垂直面VPはまた、ゴルフクラブヘッド300のフロントフェース304aの最前接点または縁に配置され、配向されて、図3C〜3Eにおける後方計測のためのベース位置を画定している。図3Bはまた、クラブヘッド300のクラウンまたは上半分に位置する、垂直面VPから分割線324のクラウンまたは上半分までの寸法としての概寸d1およびクラブヘッド300のソールまたは下半分に位置する、垂直面VPから分割線324のソールまたは下半分までの寸法としての概寸d2を画定する。
【００３０】
図3C、3Dおよび3Eに示すように、クラブヘッド300のトップまたは上半分における垂直面VPから分割線324までの寸法（後方長さ）は、それぞれd1、d1'およびd1"によって示され、クラブヘッド300のボトムまたは下半分における垂直面VPから分割線324までの寸法（後方長さ）は、それぞれd2、d2'およびd2"によって示されている。分割線324の不規則またはカーブした輪郭のせいで、寸法d1がd1'、d1"・・・d1nに等しい必要はない（大部分の場合、等しくない可能性が高い）。同様に、寸法d2がd2'、d2"・・・d2nに等しい必要はない（大部分の場合、等しくない可能性が高い）。同様に、任意の所与の断面位置において、寸法d1がd2に等しい必要はなく、寸法d1'がd2'に等しい必要はなく、寸法d1"がd2"に等しい必要はない、などである（しかし、少なくともいくつかの位置でこれらの寸法の少なくともいくつかが等しくてもよい）。
【００３１】
この例示的クラブヘッド構造の分割線324（ひいては、寸法d1および／またはd2の差（あるならば））の位置は、クラブヘッド300を構成するパーツ302、350（またはより多く）の三次元形状（少なくともその内面の形状）に依存する。図3C〜3Eの断面図によって示されるように、この例のフロントパーツ302の内側壁302aは、壁302aがその分割線324縁に向かって延びるとき、パーツ302によって画定される内部空間から外方に散開するか、または離れる方向に傾斜する。同様に、これらの図に示すように、リヤパーツ350の内側壁350aは、壁350aがその分割線324縁に向かって延びるとき、パーツ350によって画定される内部空間から外方に散開するか、または離れる方向に傾斜する。側壁302aおよび／または350aは、内側壁302a、350aが、それぞれの外縁に向かって延びるとき、それぞれの内部空間に向かって集束しないか、または内方に傾斜することがないという条件で、散開するのではなく、その長さの少なくともいくつかの部分にかけて後方にまっすぐ延びてもよい。このタイプの内壁302a、350aは、内壁302a、350aのためのプラス（または任意で部分的にニュートラル）の内部抜き勾配角を提供する。プラス（または部分的にニュートラル）の抜き勾配角をクラブヘッドパーツの内壁に提供すると、以下さらに詳細に説明するように、パーツを製造したのちパーツから金型を取り出すことが容易になり、成形手順が簡素化される。より簡単にいうならば、この特徴は、金型内面を成形パーツの内壁302a、350aに接触させる、またはその上に垂らすことなく、パーツの内面を形成するための金型部品を、パーツの後縁から後方（「金型「引き抜き」方向」）に引き抜き、内壁302a、350aから引き離すことを可能にする。
【００３２】
図3Fおよび3Gは、開放縁までの壁の範囲にかけてプラスまたは部分的にニュートラルの抜き勾配角を有する内壁または内面を有するゴルフクラブヘッドパーツの追加的な、可能な特徴を示す。図3Fに示すように、クラブヘッド300（断面で示す）はフロントパーツ302およびリヤパーツ350を含む。フロントパーツ302は、ゴルフクラブヘッド300の周囲に（たとえばトップから側面を巻いてボトムまで連続的に）延びる側壁を含む。側壁の内面302aは、フロントパーツ302の開口側を画定する縁302bで終端する。側壁の内面302aが断面の全周に途切れのない内周面302Pを画定するフロントパーツ302沿いの位置に一連の平行な断面PFが画定され得る（図3Gは、途切れのない周面302Pを示しやすくするために、パーツ302の開放縁302bの方向からフロントフェース302Fの後面302Rの方向を見たフロントパーツ302の図を示す）。この図における面PFは、パーツ302が製造されるとき成形部品（たとえば金型の一部分）がクラブヘッドパーツ302から引き抜かれる方向Dに対して垂直に向けられている。本発明の例のクラブヘッドのいくつかのパーツは、一連の平行な断面PFの任意の個別面について、その個別面の側壁302aの内面内に画定される面積（すなわち図3Gの内周面302P内の面積）が、一連の平行な断面PFのうち、第一の個別面よりも開放縁302bに近く位置する任意の面について側壁302aの内面内に画定される面積以下であるように成形され得る。換言するならば、側壁302aが縁302bに向かって後方に（たとえば方向D1に）移動するとき、パーツ302の内周面302Pによって包囲される平面面積は減少しない（等しくあり得るか、または増大し得る）。
【００３３】
図3Fにさらに示すように、クラブヘッド300のリヤパーツ350もまた、ゴルフクラブヘッド300の周囲に（たとえばトップから側面を巻いてボトムまで連続的に）延びる側壁を含む。側壁の内面350aは、リヤパーツ350の開口側を画定する縁350bで終端する。側壁の内面350aが断面の全周に途切れのない内周面を画定するリヤパーツ350沿いの位置に一連の平行な断面PRが画定され得る（この途切れのない内周面は、図3Gに示す面302Pと同様に見えるであろう）。面PRは、パーツ350が製造されるとき成形部品（たとえば金型の一部分）がクラブヘッドパーツ350から引き抜かれる方向D2に対して垂直に向けられている。本発明の例のクラブヘッドのいくつかのパーツは、一連の平行な断面PRの任意の個別面について、その個別面の側壁350aの内面内に画定される面積（周面内の面積）が、一連の平行な断面PRのうち、第一の個別面よりも開放縁350bに近く位置する任意の面について側壁の内面内に画定される面積以下であるように成形され得る。換言するならば、側壁350aが縁350bに向かって前方に移動するとき、パーツ350の内周面によって包囲される平面面積は減少しない（等しくあり得るか、または増大し得る）。
【００３４】
本発明の少なくともいくつかの例のゴルフクラブパーツについて、図3Fおよび3Gに関連して上述した特徴は、パーツのクラウンおよびソール部分を通過する任意の角度または向きにある平行な断面にも当てはまるであろう（パーツの内面がその角度または向きで断面の内壁面の周囲に連続的かつ完全な周を形成するという条件で）。クラブヘッド構成の2つ以上のパーツがこれらの内面特性を有するとき、1つのパーツの面（たとえばPF）は、他方のパーツの面（たとえばPR）に対して平行であり得るが、そうである必要はない。図3Fは、面PFおよびPR（ならびに垂直な引き抜き方向D1およびD2）を、互いに対して非平行であるものとして示す。
【００３５】
本発明のいくつかの例のクラブヘッド設計、成形型設計（たとえば金型キャビティ設計）ならびにゴルフクラブヘッドおよびクラブヘッドパーツ製造方法を、図4A〜4Pに関連してさらに詳細に説明する。図4Aは、所望のゴルフクラブヘッド400の断面図、たとえばフロント402からリヤ404方向へのゴルフクラブヘッドの重心に沿った垂直断面を示す。クラブヘッド400は、水平面HS上に、任意でボールアドレス向き（たとえばソールが地につく位置）に向けられている。このポイントでは、クラブヘッド設計は単に、外面406および内面408を有するこの1つの所望の断面形状を示す。クラブヘッド400はこの段階で物理的サンプルまたはモデルを構成し得るが、それはまた、単にコンピュータ画面上に提供されてもよい（たとえば、クラブヘッドのCAD設計の一部として）。この段階で、CAD設計は、クラブヘッドの中央前後方向に沿って回転させた断面図を提供する能力を含め、クラブヘッド402の完全かつ所望の最終的な三次元形状を有し得る。
【００３６】
この段階で、ゴルフクラブ技術分野において従来から使用されているより簡単な製造プロセスおよび成形型を使用して創製することができる複数のパーツからクラブヘッド400を製造する意図をもって所望のクラブヘッド設計のより多くの詳細を完成させることを望んでもよい（たとえば、任意でポリマー材料から、相対的に簡単な金型（たとえばマルチパーツ金型コアを有しない）および／または簡単な成形プロセス（たとえば、プレートを交換したり、プレートを挿入したり、金型コア部品を取り出したりすることのない1回の注型）を使用して個々のパーツを成形する）。本発明のいくつかのゴルフクラブヘッドは、上記内面特性を有する1つのパーツを有し得るが、任意で、完成したクラブヘッド構造400の2つ以上（任意で、全パーツまで）が、上記（かつ以下さらに詳細に説明する）タイプの内面を有するパーツを含む。
【００３７】
設計プロセスを継続するために、図4Aの設計を例にとり、図4Bに示すように、変曲点（または、図4Aおよび4Bに示す向きに対して内面408の傾きが上り勾配から下り勾配に変化する点）を決定する。変曲点はまた、この向きに関して「局所極小」または「局所極大」点とも呼ばれ得る。これは、たとえば、クラブヘッド内面408の最上面および最下面における接点（または平坦面）を見出すことによって達成され得る。たとえば、図4Bにおける点410および412をそれぞれ参照すること。これらの点410および412は、水平線410Hおよび412Hを内面408上の最高および最低の接点に動かすことによって特定される。このタイプの変曲点は、クラブヘッド402の内面408の至るところに位置することができる（たとえば、クラブヘッドの中心を前後方向に通過する軸を中心に断面を回転させることにより）。
【００３８】
必要条件ではないが、このタイプの変曲点はまた、概して同じやり方でクラブヘッド400の外面406上にも特定され得る（たとえば点414および416を参照）。この例のトップおよびボトムで上下の変曲点を接続すると、その平面配向で分割線の位置が提供される（上記のように、クラブヘッドの周囲の他の平面配向について同様な分割線位置を見出すことができる）。この断面における分割線位置は、図4B中、点410および414を接続する線418ならびに点412および416を接続する線420によって示されている。または、望むならば、線418および420は、内部変曲点410、412がたとえば垂直線、斜めの線、重なる継ぎ目に対応する線などとして決定された後で簡単に決定されてもよい。このタイプの同様な線（418、420）をクラブヘッド構造402の至るところに配置して（たとえば、上記のような他の平面配向の場合）それにより、クラブヘッド400の周囲の分割線の位置を提供することができる。この特徴は、内面408上の局所極小および極大点でクラブヘッド400を2つのパーツ、すなわちフロントパーツ422およびリヤパーツ424に分割する。
【００３９】
図4Cおよび4Dは、上記のように設計されたゴルフクラブヘッド400の2つの分けられたパーツ422および424の間の接合区域（たとえば線418および420での）の拡大図を提供する。クラブパーツの内面408の周囲の局所極小および極大または変曲点に接合区域を位置づけることにより、内面408のためのプラスの抜き勾配角α（または少なくともニュートラルな抜き勾配角）をそのパーツの至るところに提供し得る。より具体的には、図4Cおよび4Dに示すように、パーツ422を製造するための金型構成部品の取り出しのための引き抜き方向426に対するパーツ422の内面408の角度αは、内面408が線418、420に向かって延びるとき、パーツ422の内面408の周囲のすべての位置でプラスまたはニュートラルである。同様に、同じく図4Cおよび4Dに示すように、パーツ424を製造するための金型構成部品の取り出しのための引き抜き方向428に対するパーツ424の内面408の角度βは、内面408が線418、420に向かって延びるとき、パーツ424の内面408の周囲のすべての位置でプラスまたはニュートラルである。また、上記のように、内面408は、分割線区域418、420に向かう方向に移動するとき、パーツ422（または424）の中心に向かって集束しない、および／または、パーツ422（またはパーツ424）の連続する内面408によって包囲され、画定される平面面積は、分割線区域418、420に向かう方向に移動しながら、任意の一連の平行面にかけて減少しない。
【００４０】
図4Cおよび4Dに示す図において、「ニュートラルの抜き勾配角」は、内面408の少なくともいくつかの部分にかけて0°の角度αまたはβを構成するであろう。換言するならば、この図示される例において、ニュートラルな抜き勾配角は、パーツ422、424の内面408が図4Cおよび4Dに示す金型引き抜き方向426および428に対して平行である任意の位置に提供されるであろう。図4Cの内面408が、分割線区域418に向かって移動する方向にカーブまたは下向きに移動するならば、および／または図4Dの内面408が、分割線区域420に向かう方向に移動しながらカーブまたは上向きに移動するならば、望ましくないマイナスの抜き勾配角が提供されるであろう。このような配設ならば、金型コアをパーツ422および424の内部容積から容易に外に出すことはできないであろう（少なくとも1回の簡単な動作では）。理由は、金型キャビティ壁が、パーツ422、424の内部容積のさらに内側に位置するいくらかの部分で、より広くなる（ひいては、金型コアが外に動くとき、成形されたパーツと接触する）からである。マイナスの抜き勾配角を有する内面は、望むならば、より複雑なマルチパーツ金型コア構造（成形されたパーツの内部容積内に嵌まる複数の部品）、より複雑な金型コア挿入および取り出し手法、多工程成形プロセスおよび／またはより多くのオペレータ操作または活動を要するプロセスを使用して作られてもよい。
【００４１】
望むならば、図4Eに示すように、分割線区域418、420は、2つのパーツ422、424を一緒に固定する（たとえばセメントまたは接着剤によって）ための様々な構造を提供するように変形されてもよい。より具体的には、この例の分割線区域418、420は、オーバーラップまたは重ね接合を提供するように変更され、パーツ422の延びる外隆起線428がパーツ424の延びる内隆起線430に重なっている。本発明を逸脱することなく、他のタイプの接合または接続機構が可能である。他の構成が可能であり得るが（たとえば、隆起線428、430を垂直に方向転換させる、より長くまたは短く作る、不連続に作る、などができる）、この例において、重ね接合は、図4Bに示す工程で決定された線418および420に中心を合わす。図4Fは、2つのパーツ422、424が切り離されたクラブヘッド400を示す。
【００４２】
図4Gは、たとえば上記パーツ422を製造するために使用され得る例示的な2部品金型500の部品の特徴を示す。図4Gに示すように、金型部品502は、クラブヘッドパーツ422の外面406の少なくとも大部分が形成される面504を含み、金型部品506は、クラブヘッドパーツ422の内面408の少なくとも大部分が形成される面508を含む。2つの金型部品502、506は、当技術分野において公知であり、使用されているような従来のやり方を含む任意の所望のやり方で（たとえば一方を他方に対して回転させることにより、両方を回転させることにより、一方または両方の部品の平行移動（たとえば直線状またはカーブ状）により、など）一緒に動かされ得る。この動きは図4Gに矢印520によって平行移動として示されている。金型部品502、506は、金型部品502、506の互いに対する適切な着座および係合を保証するガイド要素および／または他の特徴を含み得る。図4Hに示すように正しく配置されると、金型部品502、506は、面504および508の間に金型キャビティ510を画定し、この金型キャビティの中に、クラブヘッドパーツ（422）を製造するための材料を注入（または他のやり方で導入）し得る。成形可能材料の注入（または成形可能材料の他の導入）は図4Hに矢印512によって示されている。
【００４３】
図4Iおよび4Jは、たとえば上記パーツ424を製造するために使用され得る例示的な2部品金型550の類似した図を提供する。図4Iに示すように、金型部品552は、クラブヘッドパーツ424の外面406の少なくとも大部分が形成される面554を含み、金型部品556は、クラブヘッドパーツ424の内面408の少なくとも大部分が形成される面558を含む。2つの金型部品552、556は、当技術分野において公知であり、使用されているような従来のやり方を含む任意の所望のやり方で（たとえば一方を他方に対して回転させることにより、両方を回転させることにより、一方または両方の部品の平行移動（たとえば直線状またはカーブ状）により、など）一緒に動かされ得る。この動きは図4Iに矢印570によって平行移動として示されている。金型部品552、556は、金型部品552、556の互いに対する適切な着座および係合を保証するガイド要素および／または他の特徴を含み得る。図4Jに示すように正しく配置されると、金型部品552、556は、面554および558の間に金型キャビティ560を画定し、この金型キャビティの中に、クラブヘッドパーツ（424）を製造するための材料を注入（または他のやり方で導入）し得る。成形可能材料の注入（または成形可能材料の他の導入）は図4Jに矢印562によって示されている。
【００４４】
図4Kおよび4Lは、金型500、550の内部キャビティ510、560がポリマー（または他の）材料522および572で満たされた後の2つの金型アセンブリ500、550をそれぞれ示す。2つの異なるポリマー材料522、572が図4Kおよび4Lに示されているが、望むならば、任意で同じ性質を有する同じポリマー材料が各金型500、550中に使用されてもよい（たとえば、その金型中で形成されるクラブヘッドパーツの特性および／または必要性に依存する）。
【００４５】
成形手順が完了した（かつ、任意で、金型キャビティ510中のポリマー材料522が部分的または完全に硬化した、および／またはさらに処理された）ならば、金型部品502および506（図4K）を互いから切り離して（矢印524によって示すように）成形されたパーツ526を金型500から離型させ得る。ここが、上記のような本発明の内面特徴が効果を発揮するところである。図4Kおよび4Mに示すように、金型部品502および506の間の接合部に向かう金型引き抜き方向に移動するとき、金型キャビティ510の内側壁上のプラス（またはニュートラル）の抜き勾配角のせいで（金型部品506の金型引き抜き方向は図4Kに右矢印524によって示されている）、キャビティ510の内部を形成する金型部品506の内壁508は、パーツ526の周囲のすべての位置でパーツ526の内壁からすぐに引き離され、離間する。キャビティ510の側壁508が、最内位置から金型接合区域に向かって移動しながら一定の方向に傾く（または、図4Kおよび4Mの図では、水平または外方に傾斜したままである）様子に注目すること。必要ならば、または望むならば、キャビティ510壁506、508への成形パーツ526の粘着を防ぐ、または減らすために、金型キャビティ510の1つまたは複数の面が離型剤で処理されてもよい。
【００４６】
図4Lおよび4Nに関して、成形手順が完了した（かつ、任意で、金型キャビティ560中のポリマー材料572が部分的または完全に硬化した、および／またはさらに処理された）ならば、金型部品552および556（図4L）を互いから切り離して（矢印574によって示すように）成形されたパーツ576を金型550から離型させ得る。ここが、上記のような本発明の内面特徴が効果を発揮するところである。図4Lおよび4Nに示すように、金型部品552および556の間の接合部に向かう金型引き抜き方向に移動するとき、金型キャビティ560の内側壁上のプラス（またはニュートラル）の抜き勾配角のせいで（金型部品556の金型引き抜き方向は図4Lに左矢印574によって示されている）、キャビティ560の内部を形成する金型部品556の内壁558は、パーツ576の内壁からすぐに引き離され、離間する。キャビティ560の側壁558が、最内位置から金型接合区域に向かって移動しながら一定の方向に傾く（または、図4Lおよび4Nの図では、水平または外方に傾いたままである）様子に注目すること。必要ならば、または望むならば、キャビティ560壁556、558への成形パーツ576の粘着を防ぐ、または減らすために、金型キャビティ560の1つまたは複数の面が離型剤で処理されてもよい。
【００４７】
図4Oおよび4Pはさらに、上記のように形成された成形パーツ526、576からこの例示的クラブヘッド400をアセンブルする工程を示す。先に示し、述べたように、これらのパーツ526、576は、本発明を逸脱することなく、当技術分野において公知であり、使用されている従来の技術（たとえばセメントおよび接着剤、機械的締結具、溶接または他の融着技術など）の使用を含め、任意の所望のやり方で接合され得る。図4Oおよび4Pに示すようにパーツ526、576をアセンブルする前またはアセンブルした後、任意のさらなる成形後処理または他の変更が実施されてもよい。そのような処理は、たとえば、1つまたは複数のパーツの外面をコーティングする処理（たとえば、以下さらに詳細に説明するような金属材料のナノコーティング、塗料、硬化剤などで）；成形されたパーツ526、576を最終的に硬化させる処理；1つまたは複数の外面を研削または機械加工する処理（たとえばデザイン特徴、ロゴなどを含むように）；1つまたは複数の他のクラブヘッドパーツ（たとえばカップフェース、打球フェースまたは他のフェース構成部品、ソールプレート、メダルなど）を取り付ける処理；1つまたは複数のウエイト要素を取り付ける（任意で、解放可能、調節可能および／または交換可能なやり方で）処理などを含み得る。
【００４８】
図4G〜4Nに示す金型構造は、1つの金型キャビティを含む金型を示すが、本発明を逸脱することなく、複数のキャビティ中で成形パーツの内面を画定する金型キャビティの壁が金型引き抜き方向にプラス（またはニュートラル）の抜き勾配角を有するという条件で、他の設計（1個の金型の中に複数の金型キャビティを含む）が可能である。
【００４９】
図5Aおよび5Bは、前後方向に移動する3つの別々のパーツを有する、もう1つの例示的なマルチパーツゴルフクラブヘッド600を示す。この例のフロントパーツ602（打球フェースまたは別々に取り付けられる打球フェース部材（たとえば打球プレートまたはカップフェース））を支持するためのベースを含む）およびリヤパーツ604は、たとえば上記タイプのプラスの抜き勾配角それぞれα、βをそれらの内面に有する。この例のフロントパーツ602およびリヤパーツ604それぞれは、この例示的クラブヘッド構造600の中央ボディ部材を形成する中間パーツ606に接続する。したがって、この例示的クラブヘッド600は、クラブヘッド構造600の全周をトップ−ボトム方向に延びる2つの別々の分割線、すなわち前寄り分割線PLFおよび後寄り分割線PLRを有する。
【００５０】
クラブヘッド600のいくつかの区域において、中間パーツ606は、クラブヘッド600の全内面上の傾き変化または変曲点に位置し得る。たとえば図5Bに示すように、この例示的構造600において、フロントパーツ602と中間パーツ606との間の上側接合区域608は、クラブヘッド600の上内面の傾き変化または変曲点に位置している。同様に、リヤパーツ604と中間パーツ606との間の下側接合区域610は、クラブヘッド600の下内面の傾き変化または変曲点に位置している。しかし、クラブヘッド600の他の区域において、中間パーツ606の内面は、その接続する隣接パーツの少なくとも一方の内面と同じ方向に傾き得る。これは、たとえば、フロントパーツ602と中間パーツ606との間の下側接合区域612（両パーツ602および606の下内面は下方かつ後方に傾く）およびリヤパーツ604と中間パーツ606との間の上側接合区域614（両パーツ604および606の上内面は上方かつ前方に傾く）に示されている。したがって、図5Aおよび5Bのクラブヘッド構造600において、前寄り分割線PLFは、パーツ602および606の接合部におけるクラブヘッド内面の変曲点（または局所極小または極大）の部分をたどり、後寄り分割線PLRは、パーツ604および606の接合部におけるクラブヘッド内面の変曲点（または局所極小または極大）の部分をたどる。その周に沿ういくつかの点で、各分割線PLFおよびPLRは、変曲点（局所極小または極大）の位置から連続する面、傾きまたは角度の位置まで移行する。
【００５１】
この図示される例示的構造600の中間パーツ606の内面の上下両方は下方かつ後方に傾くため、このパーツ606の内面は、その全内周面に沿ってニュートラルまたはプラスの抜き勾配角を含まない。したがって、中間パーツ606を製造するためには、上記金型構造とはいくぶん異なる金型構造（または異なる製造方法）が必要になり得る。
【００５２】
本発明を逸脱することなく、3パーツ（またはより多くのパーツの）ゴルフクラブヘッドのための他のオプションが可能である。たとえば、望むならば、中間パーツ606の内面が、その前後長を通してニュートラルまたは一方向の傾きを有して、そのパーツ606の内面が同じくその全内面にかけてニュートラルまたはプラスの抜き勾配角を有する（かつ、上記のような成形型によって製造することができる）ようにしてもよい。
【００５３】
また、中間パーツ606は、クラブヘッドボディの全周をトップ−ボトム方向に延びる必要はない。それどころか、中間パーツ606は、略C字形、L字形、平坦形状、カーブ形状などを有してもよい。そのような態様において、フロントパーツ602およびリヤパーツ604は、クラブヘッド600の周囲の同じ位置（たとえばトップおよび／または1つまたは複数の側面、ボトムおよび／または1つまたは複数の側面、トップのみ、ボトムのみ、など）に直接接続されてもよいが、クラブヘッド600の周囲の他の位置では中間パーツ606によって切り離されている。このタイプの構造の様々なクラブヘッドパーツの間の分割線は、中間パーツ606が始まる、および／または終わる、クラブヘッドボディの周囲の位置で分割または分岐するように見え得る。
【００５４】
上記のように、本発明のいくつかのゴルフクラブ設計および構造において、クラブヘッドの外面における分割線は、内面のための分割線位置が見出されるのと同じやり方で（たとえば図4A〜4Dに関連して説明したように）外面の変曲点（または局所極小もしくは極大）に位置するように設計され得る。望むならば、クラブヘッドの1つまたは複数の個々のパーツの外面全体が内面と同じやり方でプラスの抜き勾配角を有してもよい。しかし、これは、本発明の少なくともいくつかの例示的構造において必要条件ではない。これが厳密な必要条件ではないという1つの理由は、金型部品がすべての位置で成形パーツの面の外側に位置するため、外面のための金型構造のパーツを互いに対してより容易に移動（たとえば回転、平行移動など）させるための空間があるという事実による。成形パーツの内面を作るための金型面は、少なくとも部分的に、そのパーツの内面によって画定される容積内に位置するため、厳密に上記のような設計された金型引き抜き方向以外に、その金型部品の個々の部分を容易に移動（たとえば回転、平行移動など）させるための十分な余地はその容積内にない。
【００５５】
本発明のいくつかの例のクラブヘッド構造は、少なくとも1つのパーツが上記のようにその内面の至るところでプラス（またはニュートラル）の抜き勾配角を有するという条件で、4つ以上の個々のパーツを含み得る。いくつかの態様において、クラブヘッドボディのパーツの任意の数（2つまたはパーツのすべてまでを含む）が、上記のようにその内面の周囲にプラス（またはニュートラル）の抜き勾配角を有する内面を有し得る。
【００５６】
もう1つの例示的態様
上記のように、本発明のいくつかの例において、2つ以上のクラブヘッドパーツの内面は、そのパーツの開放縁に向かって移動するとき、少なくともそのパーツを製造するための成形型の引き抜き方向に対してニュートラルまたはプラスの抜き勾配角を有する。しかし、本発明の他の例示的クラブヘッドにおいては、内面の少なくともいくつかの部分（たとえば、周方向における内面の少なくともいくつかの部分の周囲および／または前後方向における内面の少なくともいくつかの部分の周囲（たとえば、内面を製造するための金型成形部分引き抜き方向に）について、いくらかマイナスの抜き勾配角が許容され得る。少なくともいくらかマイナスの抜き勾配角は、たとえば、クラブヘッドパーツが、マイナスの抜き勾配角が存在するとしても（少なくとも内面のいくらかの部分にかけて）それらを傷つけずに金型から取り出すことを可能にするのに十分な薄さおよび／または可撓性を有する場合、許容することができる。望むならば、個々のクラブヘッドパーツが、マイナスの抜き勾配角を有する複数の切り離された区域を有することもできる。
【００５７】
しかし、好ましくは、クラブヘッドの内面の任意のマイナス抜き勾配角区域（たとえば、図4Cおよび4Dからのαおよび／またはβについてマイナス角度を有する区域）は、0°に近い、相対的に小さなマイナス抜き勾配角、たとえば−1°〜0°のαおよび／またはβ、いくつかの例においては−0.5°〜0°または−0.25°〜0°のαおよび／またはβを有する。
【００５８】
ゴルフクラブヘッドパーツの内面にマイナス抜き勾配角区域が存在するならば、任意の個別のマイナス抜き勾配角区域は、（a）（たとえば）図3Gにおける周302Pのような内面の周方向に、および（b）その開放自由端に向かう内面に沿う方向に（たとえば、金型引き抜き方向および／またはクラブパーツの奥行き寸法方向に）、少なくともいくらかの距離にかけて連続的に延びる。しかし、好ましくは、これらの距離または寸法の全くいずれでも、マイナスの抜き勾配角を有するマイナスの抜き勾配角区域は1つも延びない。いくつかのより具体的な例として、本発明のいくつかの例にしたがって、マイナスの抜き勾配角を有するクラブヘッドパーツの内面の個別の連続区域がクラブヘッドの周方向にその位置における周長の50％よりも多く延びることはない。いくつかのクラブヘッドにおいて、マイナスの抜き勾配角を有するクラブヘッドパーツの内面の個別の連続区域が周方向にその位置における周長の25％よりも多く、または10％よりも多く、または5％よりも多く延びることはない。複数の切り離されたマイナス抜き勾配角区域を有するクラブヘッドパーツの場合、好ましくは、任意の所与の周線（たとえば302P）に沿うマイナス抜き勾配角区域の周長の合計は、その位置におけるクラブヘッド内面の全周長の50％未満、いくつかの例においては25％未満、10％未満または5％未満である。
【００５９】
本発明の少なくともいくつかのクラブヘッド構造のもう1つの可能なオプションまたは特徴として、マイナスの抜き勾配角を有するクラブヘッドパーツの内面の個別の連続区域が、クラブヘッドパーツの周方向にその周位置で6インチよりも長く延びることはない（たとえば、図3Gの周302Pに沿って連続6インチ以下）。いくつかのクラブヘッドにおいて、マイナスの抜き勾配角を有するパーツの内面の個別の連続区域が、周方向にその周位置で4インチよりも長く、2インチよりも長く、または1インチよりも長く延びることはない。複数の切り離されたマイナス抜き勾配角区域を有するクラブヘッドパーツの場合、好ましくは、任意の所与の周線（たとえば302P）に沿うマイナス抜き勾配角区域の周長の合計は、6インチ未満、いくつかの例においては4インチ未満、2インチ未満または1インチ未満である。
【００６０】
また、上記のように、パーツの完全な奥行き方向（たとえば、金型引き抜き方向またはパーツの開放縁に向かう他の方向）について連続的なマイナス抜き勾配角区域が内面に沿って延びないことが好ましい。しかし、好ましくは、マイナスの抜き勾配角を有するクラブヘッドパーツの内面の個別の連続区域が、パーツの奥行き寸法の50％よりも多く延びることはない。いくつかのクラブヘッドにおいて、マイナスの抜き勾配角を有するクラブヘッドパーツの内面の個別の連続区域が、パーツの奥行き寸法の25％よりも多く、10％よりも多く、または5％よりも多く延びることはない。パーツの「奥行き寸法」とは、パーツの開放縁からその反対端までの最大寸法である（たとえば、図2A〜2Dの寸法「奥行き」を参照）。
【００６１】
本発明の少なくともいくつかのクラブヘッド構造のもう1つの可能なオプションまたは特徴として、マイナスの抜き勾配角を有するクラブヘッドパーツの内面の個別の連続区域が、パーツの開放縁と交差する方向（たとえば金型引き抜き方向）に4インチよりも長く延びることはない。いくつかのクラブヘッドにおいて、マイナスの抜き勾配角を有するパーツの内面の個別の連続区域が、その方向（すなわち、開放縁と交差する方向、たとえば金型引き抜き方向）に2インチよりも長く、1インチよりも長く、または0.5インチよりも長く延びることはない。複数の切り離されたマイナス抜き勾配角区域を有するクラブヘッドパーツの場合、好ましくは、開放縁と交差する任意の特定の方向、たとえば金型引き抜き方向におけるマイナス抜き勾配角区域の長さの合計は、4インチ未満、2インチ未満、1インチ未満または0.5インチ未満である。
【００６２】
クラブヘッドの追加的な、可能な特徴
2つ以上のクラブヘッドパーツが任意の適当な方法で接続されてもよい。たとえば、様々な接着剤を使用して2つのパーツを接合し得る。追加的または代替的に、パーツは、ねじまたは他の機械的締結具を使用して接合されてもよい。2つ以上のパーツはまた、パーツ構造中に形成された開口または溝の中に嵌まる突起によって接続されてもよい。さらに他の構成において、タブ、リップなどを使用してリヤパーツをフロントパーツに接続し得るスナップ嵌めタイプ構造が使用されてもよい。さらに、フロントパーツおよびリヤパーツの製造中にフロントパーツがリヤパーツに接着されてもよい。
【００６３】
ゴルフクラブヘッドは、クラブヘッド構造上の1つまたは複数の位置に配置されることができるウエイト部材を収容し得る。たとえば、所望の構成または加重特性に依存して様々なウエイトを受けるために、ウエイトポートが1つまたは複数のクラブヘッドパーツに含まれ得る、または取り付けられ得る。さらに、マルチピース構成を有するゴルフクラブヘッド、たとえばフロントパーツおよびリヤパーツを有するゴルフクラブヘッドにおいて、ウエイトポートは、複数のピースの2つ以上のいずれか1つまたは任意の組み合わせに含まれることができる。
【００６４】
いくつかの例において、ナノコーティングがゴルフクラブヘッドの少なくともいくつかの部分（クラブヘッド構造の個々のパーツの任意の1つまたは複数を含む）を覆い、パーツどうしの接続を支援し得る。ナノコーティングは、きわめて小さい粒子で構成された「液固体」として記載されている。ナノコーティングは、きわめて可撓性、耐腐食性、耐摩耗性または耐ひっかき性であり得、硬化させるのに従来のコーティングよりも実質的に短い時間しか要しない。たとえば、いくつかのタイプのナノコーティングは、様々な従来のコーティングの場合の30分以上に対し、10秒以下で硬化させ得る。ナノコーティングは、公知の適用方法、たとえば塗装、吹き付けなどを使用して、ゴルフクラブヘッドおよび／またはその個々のパーツに適用され得る。
【００６５】
特に適したナノコーティング材料は、Al、Cu、Co、Ni、Fe、Mo、Pt、Ti、W、ZnおよびZrの1つを含有する微粒状高強度純金属または合金；Al、Cu、Ca、Ni、Fe、Mo、Pt、Ti、WおよびZrから選択される少なくとも2つの元素を含有する合金；Al、Cu、Co、Ni、Fe、Mo、Pt、WおよびZrの純金属または合金（Ag、Au、B、C、Cr、Mo、Mn、P、S、Si、Pb、Pd、Rh、Ru、Sn、VおよびZnから選択される少なくとも1つの元素をさらに含有し、任意で、粒状添加物、たとえばAg、Al、Co、Cu、In、Mg、Mo、Ni、Si、Sn、Pt、Ti、V、W、Znの金属粉末、金属合金粉末および金属酸化物粉末を含有する）；Al、BおよびSiの窒化物；C（グラファイト、カーボンファイバー、カーボンナノチューブまたはダイアモンド）；B、Cr、Bi、Si、Wの炭化物；セラミックス、ガラスおよびポリマー材料、たとえばポリテトラフルオロエチレン（PTFE）、ポリ塩化ビニル（PVC）、アクリロニトリル・ブタジエン・スチレン（ABS）、ポリエチレン（PE）、ポリプロピレン（PP）を含む。特に、適当なナノコーティングは、Ni、Fe、ZnおよびCo粒子を有するものを含み得る。ナノコーティングはさらに、これらの粒子の混合物を含み得る。
【００６６】
適用されるコーティングの厚さは、コーティングの所望の見かけおよび性質を達成するのに適当な任意の厚さであり得る。適当な厚さは、50〜180ミクロン、いくつかの例においては100〜150ミクロンまたは120〜130ミクロンの範囲である。さらに、厚さは、クラブヘッドの様々な部分で異なることもできる。
【００６７】
ナノコーティングそのものは公知である。たとえばIntegran Technologies, Inc.が、様々な基材に適したナノコーティングを提供している。適当なナノコーティング、それらの性質およびナノコーティング製造方法が、いくつかのIntegran特許、たとえば米国特許第7,387,578号および第7,910,224号ならびに出願公開公報、たとえばUS20110143159に見出され得る。これらの特許および出願は参照により全体として本明細書に組み入れられる。
【００６８】
上述したように、ナノコーティングは、ゴルフクラブヘッドのための均一な1ピース外観を提供し得る外側コーティング（たとえば分割線を覆うための）であってもよい。いくつかの構成において、ナノコーティングは、全体が金属または別の単一材料でできたゴルフクラブヘッドの外観を提供し得る。
【００６９】
ゴルフクラブヘッドのすべてまたは実質すべてを覆うナノコーティングは、使用中のクラブの感触に影響し得る。たとえば、ナノコーティングは、使用されるナノコーティングのタイプ（たとえば、ナノコーティング内の粒子のタイプ）に基づいて、ゴルフスイングおよびボールとの接触中に軟らかめの感触または硬めの感触を提供し得る。したがって、ゴルフクラブ設計者は、ゴルフクラブヘッドの所望の感触または性能特性に基づいてナノコーティングのタイプを選択し得る。さらに、ナノコーティングの使用により、ナノコーティングの材料の選択およびコーティングの戦略的配置を介して、重心、慣性モーメント、フレックスポイント、スイングウエイトなどを操作し得る。ナノコーティング材料はまた、本発明のゴルフクラブヘッドがボールと接触するときに発生する音に影響し得る。
【００７０】
クラブヘッドをコートすることに加えて、ナノコーティングは、シャフトの全部または一部に適用されてもよい。たとえば、シャフトおよびクラブヘッドは、たとえばポリマー、複合材料などから1個のユニボディ構造で一緒に形成されてもよい。その場合、ナノコーティングはゴルフクラブ全体に適用され得る。これは、ゴルフクラブ全体の性質、たとえば重心、慣性モーメント、フレックスポイント、スイングウエイトなどを操作する能力を提供する。
【００７１】
上述したように、本発明の特定の態様において、ゴルフクラブヘッドは、任意で異なる材料または異なる密度を有する材料から作られたフロントパーツおよびリヤパーツを有し得る。たとえば、1つの態様において、フロントパーツは、高密度材料である第一の材料から作られ得る。リヤパーツは、第一の材料よりも低密度である第二の材料から作られ得る。フロントパーツおよびリヤパーツは、接続または他のやり方で接合されてゴルフクラブヘッドを形成し得る。各部分が協働的にゴルフクラブヘッドの体積を画定する。1つの態様において、より高密度であるフロントパーツがクラブヘッドの体積の約40％を構成し得、より低密度であるリヤパーツがクラブヘッドの体積の約60％を構成し得る。もう1つの態様において、より高密度であるフロントパーツがクラブヘッドの体積の約30％を構成し得、より低密度であるリヤパーツがクラブヘッドの体積の約70％を構成し得る。特定の態様において、フロントパーツは金属材料であり得（または金属材料でコートされ得）、リヤパーツはポリマー材料（任意でコーティングなし）であり得るが、たとえば密度および／または他の性質に基づいて他の材料が使用されてもよい。
【００７２】
ゴルフクラブヘッドの各部分の密度は、ゴルフクラブヘッドの所望の特性に基づいて操作され得る。たとえば、フェースの中心は、打球区域に対応する高密度材料で形成され得るが、ゴルフクラブヘッドの他の局面は低密度材料で形成され得る。ホーゼルは、より高密度の材料を他の区域に可能にし、かつゴルフクラブヘッドの総重量のバランスを維持するために、低密度材料で作られ得る。このような様々な密度の材料の戦略的配置（たとえばそのような材料を限局化するための）が、重心および／または球速ならびに他の性質の操作を可能にすることができる。そのような操作は、たとえば球速に影響し得る。ナノコーティングは、本明細書に詳述されるように、クラブヘッドの表面区域全体に適用され得る。
【００７３】
結び
本発明は、上記および添付図面において、多様な例示的構造、特徴、要素ならびに構造、特徴および要素の組み合わせを参照して記載されている。しかし、本開示によって果たされる目的は、本発明の範囲を限定することではなく、本発明に関連する様々な特徴および概念の例を提供することである。当業者は、特許請求の範囲によって画定される本発明の範囲を逸脱することなく、上記態様に対して数多くの変更および修飾を加え得ることを理解するであろう。たとえば、本発明の範囲を逸脱することなく、図1A〜5Bに関連して上述された様々な特徴および概念は、個別に使用されてもよいし、かつ／あるいは任意の組み合わせまたは部分的組み合わせで使用されてもよい。
【図１Ａ】
0006375421.tif 000002
【図１Ｂ】
0006375421.tif 000003
【図１Ｃ】
0006375421.tif 000004
【図２Ａ】
0006375421.tif 000005
【図２Ｂ】
0006375421.tif 000006
【図２Ｃ】
0006375421.tif 000007
【図２Ｄ】
0006375421.tif 000008
【図３Ａ】
0006375421.tif 000009
【図３Ｂ】
0006375421.tif 000010
【図３Ｃ】
0006375421.tif 000011
【図３Ｄ】
0006375421.tif 000012
【図３Ｅ】
0006375421.tif 000013
【図３Ｆ】
0006375421.tif 000014
【図３Ｇ】
0006375421.tif 000015
【図４Ａ】
0006375421.tif 000016
【図４Ｂ】
0006375421.tif 000017
【図４Ｃ】
0006375421.tif 000018
【図４Ｄ】
0006375421.tif 000019
【図４Ｅ】
0006375421.tif 000020
【図４Ｆ】
0006375421.tif 000021
【図４Ｇ】
0006375421.tif 000022
【図４Ｈ】
0006375421.tif 000023
【図４Ｉ】
0006375421.tif 000024
【図４Ｊ】
0006375421.tif 000025
【図４Ｋ】
0006375421.tif 000026
【図４Ｌ】
0006375421.tif 000027
【図４Ｍ】
0006375421.tif 000028
【図４Ｎ】
0006375421.tif 000029
【図４Ｏ】
0006375421.tif 000030
【図４Ｐ】
0006375421.tif 000031
【図５】
0006375421.tif 000032